【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
建築物の開口用の遮蔽物であって、
アタッチメントラインに沿って取り付けられた少なくとも２つのセルユニットと、
前記少なくとも２つのセルユニットの境界において前記アタッチメントラインに近接して配され、前記少なくとも２つのセルユニット間を通る光を吸収し、隣接するセル間の光の漏出を減少させる第１の光吸収要素と、を備える、遮蔽物。
【請求項２】
前記少なくとも２つのセルユニットのそれぞれは、
外側セルと、
前記外側セル内に少なくとも部分的に収容された内側セルと、を含む、請求項１に記載の遮蔽物。
【請求項３】
前記内側セルの外面の少なくとも一部は、別のセルユニットの前記外側セルが前記内側セルに近接して配されるように前記境界において露出される、請求項２に記載の遮蔽物。
【請求項４】
前記第１の光吸収要素は、前記内側セル上に配される、請求項２に記載の遮蔽物。
【請求項５】
前記第１の光吸収要素は、前記境界で露出した前記内側セルの外面上に配される、請求項２に記載の遮蔽物。
【請求項６】
前記第１の光吸収要素は、前記外側セル上に配される、請求項２に記載の遮蔽物。
【請求項７】
前記第１の光吸収要素に対して前記セルユニットの反対側に配される第２の光吸収要素をさらに備える、請求項１〜６のいずれか一項に記載の遮蔽物。
【請求項８】
前記第１の光吸収要素は、前記第１の光吸収要素上に入射する実質的にすべての可視光波長を吸収する、請求項１〜６のいずれか一項に記載の遮蔽物。
【請求項９】
建築物の開口を覆うセルパネルであって、
第１のセル列と、
前記第１のセル列に動作可能に連結された第２のセル列と、
前記第１のセル列と前記第２のセル列との間の境界に配された第１の光吸収要素と、を備えるセルパネル。
【請求項１０】
前記第１のセル列は、
第１の外側セルと、
前記第１の外側セル内に少なくとも部分的に収容された第１の内側セルと、を含み、
前記第２のセル列は、
第２の外側セルと、
前記第２の外側セル内に少なくとも部分的に収容された第２の内側セルと、を含む、請求項９に記載のセルパネル。
【請求項１１】
前記第１の内側セルおよび前記第２の内側セルは、光吸収材料から少なくとも部分的に構成される、請求項１０に記載のセルパネル。
【請求項１２】
前記第１の光吸収要素は、前記第２の内側セルの外面上に配される、請求項１０に記載のセルパネル。
【請求項１３】
前記第１の外側セルは、前記第１の光吸収要素が露出される隙間を規定する、請求項１０〜１２のいずれか一項に記載のセルパネル。
【請求項１４】
前記第１の光吸収要素は、前記第１の内側セルの第１の長手エッジに近接して配される、請求項１０〜１２のいずれか一項に記載のセルパネル。
【請求項１５】
前記第２のセル列に動作可能に連結された第３のセル列と、前記第２のセル列と前記第３のセル列との間の境界に近接して配された第２の光吸収要素と、をさらに備える、請求項１０〜１２のいずれか一項に記載のセルパネル。
【請求項１６】
前記第１および第２の光吸収要素は異なる幅を有する、請求項１５に記載のセルパネル。
【請求項１７】
前記境界の縦断面は、
前記第２の内側セルの上壁と、
前記上壁の上方に配された前記第１の光吸収要素と、
前記第２の内側セルの前記上壁および前記第１の光吸収要素から縦方向に離れた前記第１の外側セルの下壁と、を備える、請求項１０〜１２のいずれか一項に記載のセルパネル。
【請求項１８】
前記遮蔽物は第２の光吸収要素をさらに備え、前記境界の前記縦断面は、前記下壁の上方に配された前記第２の光吸収要素をさらに備える、請求項１７に記載のセルパネル。
【請求項１９】
建築物の開口用の遮蔽物であって、
上部レールと、
前記上部レールに動作可能に連結され、少なくとも２つのセルユニットを含むセルパネルであって、各セルユニットが、
外側セルと、
前記外側セル内に少なくとも部分的に収容された内側セルと、を備えるセルパネルと、
前記少なくとも２つのセルユニット間の境界に配された第１の光吸収要素と、前記上部レールに対して前記セルパネルの反対側の端部に動作可能に連結され、前記遮蔽物が拡張された状態と引き込められた状態との間を動作する際に縦方向に移動可能である下部レールと、を備える遮蔽物。
【請求項２０】
前記第１の光吸収要素は、前記内側セルまたは前記外側セルのうちの少なくとも一方に埋め込まれ、前記第１の光吸収要素に入射する実質的にすべての可視光波長を吸収する、請求項１９に記載の遮蔽物。
【請求項２１】
前記内側セルの外面の少なくとも一部は、別のセルユニットの前記外側セルが前記内側セルに近接して配されるように前記境界で露出される、請求項１９に記載の遮蔽物。
【請求項２２】
前記第１の光吸収要素は前記内側セル上に配される、請求項１９〜２１のいずれか一項に記載の遮蔽物。
【請求項２３】
前記第１の光吸収要素は、前記境界で露出した前記内側セルの前記外面の前記一部に配される、請求項２２に記載の遮蔽物。
【請求項２４】
前記第１の光吸収要素は、前記内側セルまたは前記外側セルのうちの少なくとも一方の一部内に少なくとも部分的に埋め込まれる、請求項２〜６のいずれか一項に記載の遮蔽物。
【請求項２５】
前記第１の光吸収要素は、前記内側セルまたは前記外側セルのうちの少なくとも一方の一部と一体である、請求項２〜６、２４のいずれか一項に記載の遮蔽物。
【請求項２６】
前記第１の光吸収要素は、前記内側セルまたは前記外側セルのうちの少なくとも一方の一部の上部に、当該一部から離れるように延在して配される、請求項２〜６、２４、２５のいずれか一項に記載の遮蔽物。
【請求項２７】
前記第１の光吸収要素に対して隣接するセルユニット上に配される第２の光吸収要素をさらに備える、請求項１〜６、８、２４〜２６のいずれか一項に記載の遮蔽物。
【請求項２８】
前記第２の光吸収要素は、前記隣接するセルユニットの一部内に少なくとも部分的に埋め込まれる、請求項２７に記載の遮蔽物。
【請求項２９】
前記第２の光吸収要素は、前記隣接するセルユニットの一部と一体である、請求項２７または２８に記載の遮蔽物。
【請求項３０】
前記第２の光吸収要素は、前記隣接するセルユニットの一部の上部に、当該一部から離れるように延在して配される、請求項２７〜２９のいずれか一項に記載の遮蔽物。
【請求項３１】
前記境界の縦断面は、
第１のセルユニットの内側セルの上壁と、
前記上壁の上方に配された前記第１の光吸収要素と、
前記第１のセルユニットの前記内側セルの前記上壁および前記第１の光吸収要素から縦方向に離れた第２のセルユニットの外側セルの下壁と、を備える、請求項２〜６、８、２４〜３０のいずれか一項に記載の遮蔽物。
【手続補正２】
【補正対象書類名】明細書
【補正対象項目名】００６８
【補正方法】変更
【補正の内容】
【００６８】
[0086]すべての方向性の表示（例えば、近い、遠い、上側、下側、上方、下方、左、右、横方向、長手、前方、後方、上部、下部、上、下、垂直、水平、半径方向、軸方向、時計回り、および反時計回り）は、読み手による本開示の理解を助けるための確認目的のために使用されているだけであり、特に位置、配向、または本開示の使用に関して限定を与えるものではない。連結表示（例えば、取り付けられた、結合された、連結された、および接合された）は、幅広く解釈されるべきであり、他に指示がない限り、要素の集合体間の中間部材および要素間の関連作動装置を含むことができる。このように、連結表示は、２つの要素が直接的に連結され、互いに固定された関係にあることを必ずしも暗示するものではない。図面は、例示のみの目的であり、本明細書に添付された図面に反映された寸法、位置、順序、および相対的な大きさは可変である。
なお、以下に参考発明を記載する。当該参考発明は、出願当初の請求項１から６４に対応している。すなわち、
参考発明１は、建築物の開口用の遮蔽物であって、アタッチメントラインに沿って取り付けられた少なくとも２つのセルユニットと、前記少なくとも２つのセルユニットの境界において前記アタッチメントラインに近接して配され、前記少なくとも２つのセルユニット間を通る光を吸収し、隣接するセル間の光の漏出を減少させる第１の光吸収要素と、を備える、遮蔽物である。
参考発明２は、前記少なくとも２つのセルユニットのそれぞれは、外側セルと、前記外側セル内に少なくとも部分的に収容された内側セルと、を含む、参考発明１に記載の遮蔽物である。
参考発明３は、前記内側セルの外面の少なくとも一部は、別のセルユニットの前記外側セルが前記内側セルに近接して配されるように前記境界において露出される、参考発明２に記載の遮蔽物である。
参考発明４は、前記第１の光吸収要素は、前記内側セル上に配される、参考発明２に記載の遮蔽物である。
参考発明５は、前記第１の光吸収要素は、前記境界で露出した前記内側セルの外面上に配される、参考発明２に記載の遮蔽物である。
参考発明６は、前記第１の光吸収要素は、前記外側セル上に配される、参考発明２に記載の遮蔽物である。
参考発明７は、前記第１の光吸収要素に対して前記セルユニットの反対側に配される第２の光吸収要素をさらに備える、参考発明１〜６のいずれか一項に記載の遮蔽物である。
参考発明８は、前記第１の光吸収要素は、前記第１の光吸収要素上に入射する実質的にすべての可視光波長を吸収する、参考発明１〜６のいずれか一項に記載の遮蔽物である。
参考発明９は、建築物の開口を覆うセルパネルであって、第１のセル列と、前記第１のセル列に動作可能に連結された第２のセル列と、前記第１のセル列と前記第２のセル列との間の境界に配された第１の光吸収要素と、を備えるセルパネルである。
参考発明１０は、前記第１のセル列は、第１の外側セルと、前記第１の外側セル内に少なくとも部分的に収容された第１の内側セルと、を含み、前記第２のセル列は、第２の外側セルと、前記第２の外側セル内に少なくとも部分的に収容された第２の内側セルと、を含む、参考発明９に記載のセルパネルである。
参考発明１１は、前記第１の内側セルおよび前記第２の内側セルは、光吸収材料から少なくとも部分的に構成される、参考発明１０に記載のセルパネルである。
参考発明１２は、前記第１の光吸収要素は、前記第２の内側セルの外面上に配される、参考発明１０に記載のセルパネルである。
参考発明１３は、前記第１の外側セルは、前記第１の光吸収要素が露出される隙間を規定する、参考発明１０〜１２のいずれか一項に記載のセルパネルである。
参考発明１４は、前記第１の光吸収要素は、前記第１の内側セルの第１の長手エッジに近接して配される、参考発明１０〜１２のいずれか一項に記載のセルパネルである。
参考発明１５は、前記第２のセル列に動作可能に連結された第３のセル列と、前記第２のセル列と前記第３のセル列との間の境界に近接して配された第２の光吸収要素と、をさらに備える、参考発明１０〜１２のいずれか一項に記載のセルパネルである。
参考発明１６は、前記第１および第２の光吸収要素は異なる幅を有する、参考発明１５に記載のセルパネルである。
参考発明１７は、前記境界の縦断面は、前記第２の内側セルの上壁と、前記上壁の上方に配された前記第１の光吸収要素と、前記第２の内側セルの前記上壁および前記第１の光吸収要素から縦方向に離れた前記第１の外側セルの下壁と、を備える、参考発明１０〜１２のいずれか一項に記載のセルパネルである。
参考発明１８は、前記遮蔽物は第２の光吸収要素をさらに備え、前記境界の前記縦断面は、前記下壁の上方に配された前記第２の光吸収要素をさらに備える、参考発明１７に記載のセルパネルである。
参考発明１９は、建築物の開口用の遮蔽物であって、上部レールと、前記上部レールに動作可能に連結され、少なくとも２つのセルユニットを含むセルパネルであって、各セルユニットが、外側セルと、前記外側セル内に少なくとも部分的に収容された内側セルと、を備えるセルパネルと、前記少なくとも２つのセルユニット間の境界に配された第１の光吸収要素と、前記上部レールに対して前記セルパネルの反対側の端部に動作可能に連結され、前記遮蔽物が拡張された状態と引き込められた状態との間を動作する際に縦方向に移動可能である下部レールと、を備える遮蔽物である。
参考発明２０は、前記第１の光吸収要素は、前記内側セルまたは前記外側セルのうちの少なくとも一方に埋め込まれ、前記第１の光吸収要素に入射する実質的にすべての可視光波長を吸収する、参考発明１９に記載の遮蔽物である。
参考発明２１は、前記内側セルの外面の少なくとも一部は、別のセルユニットの前記外側セルが前記内側セルに近接して配されるように前記境界で露出される、参考発明１９に記載の遮蔽物である。
参考発明２２は、前記第１の光吸収要素は前記内側セル上に配される、参考発明１９〜２１のいずれか一項に記載の遮蔽物である。
参考発明２３は、前記第１の光吸収要素は、前記境界で露出した前記内側セルの前記外面の前記一部に配される、参考発明２２に記載の遮蔽物である。
参考発明２４は、建築物の開口用の遮蔽物であって、アタッチメントラインに沿って取り付けられた少なくとも２つのセルユニットと、前記少なくとも２つのセルユニットの境界において前記アタッチメントラインに近接して配され、前記少なくとも２つのセルユニット間を通る光を吸収し、隣接するセル間の光の漏出を減少させる第１の光吸収要素と、を備える、遮蔽物である。
参考発明２５は、前記少なくとも２つのセルユニットのそれぞれは、外側セルと、前記外側セル内に少なくとも部分的に収容された内側セルと、を含む、参考発明２４に記載の遮蔽物である。
参考発明２６は、前記内側セルの外面の少なくとも一部は、別のセルユニットの前記外側セルが前記内側セルに近接して配されるように前記境界において露出される、参考発明２５に記載の遮蔽物である。
参考発明２７は、前記第１の光吸収要素は、前記内側セル上に配される、参考発明２５または２６に記載の遮蔽物である。
参考発明２８は、前記第１の光吸収要素は、前記境界で露出した前記内側セルの外面上に配される、参考発明２５〜２７のいずれか一項に記載の遮蔽物である。
参考発明２９は、前記第１の光吸収要素は、前記外側セル上に配される、参考発明２５または２６に記載の遮蔽物である。
参考発明３０は、前記第１の光吸収要素は、前記内側セルまたは前記外側セルのうちの少なくとも一方の一部内に少なくとも部分的に埋め込まれる、参考発明２５〜２９のいずれか一項に記載の遮蔽物である。
参考発明３１は、前記第１の光吸収要素は、前記内側セルまたは前記外側セルのうちの少なくとも一方の一部と一体である、参考発明２５〜３０のいずれか一項に記載の遮蔽物である。
参考発明３２は、前記第１の光吸収要素は、前記内側セルまたは前記外側セルのうちの少なくとも一方の一部の上部に、当該一部から離れるように延在して配される、参考発明２５〜３１のいずれか一項に記載の遮蔽物である。
参考発明３３は、前記第１の光吸収要素は、前記第１の光吸収要素に入射する実質的にすべての可視光波長を吸収する、参考発明２４〜３２のいずれか一項に記載の遮蔽物である。
参考発明３４は、前記第１の光吸収要素に対して隣接するセルユニット上に配される第２の光吸収要素をさらに備える、参考発明２４〜３３のいずれか一項に記載の遮蔽物である。
参考発明３５は、前記第２の光吸収要素は、前記隣接するセルユニットの一部内に少なくとも部分的に埋め込まれる、参考発明３４に記載の遮蔽物である。
参考発明３６は、前記第２の光吸収要素は、前記隣接するセルユニットの一部と一体である、参考発明３４または３５に記載の遮蔽物である。
参考発明３７は、前記第２の光吸収要素は、前記隣接するセルユニットの一部の上部に、当該一部から離れるように延在して配される、参考発明３４〜３６のいずれか一項に記載の遮蔽物である。
参考発明３８は、前記境界の縦断面は、第１のセルユニットの内側セルの上壁と、前記上壁の上方に配された前記第１の光吸収要素と、前記第１のセルユニットの前記内側セルの前記上壁および前記第１の光吸収要素から縦方向に離れた第２のセルユニットの外側セルの下壁と、を備える、参考発明２５〜３７のいずれか一項に記載のセルパネルである。